(57)【要約】【課題】異なるデータ形式の印影データをまとめて管理することができるようにする。【解決手段】ＣＰＵと、メモリと、出力装置と、印影画像を特定する印影特定情報と、前記印影画像を表示するための第１のデータ形式の画像データと、前記第１のデータ形式を特定するための前記画像データの属性値とを対応付けて記憶する記憶部と、出力対象の前記印影画像を特定する前記印影特定情報の入力を受け付ける入力部と、受け付けた前記印影特定情報に対応する第１の前記画像データおよび前記属性値を前記記憶部から読み出す画像データ取得部と、読み出した前記属性値に応じて、前記第１の画像データを所定の第２のデータ形式の第２の画像データに変換する変換部と、前記第２の画像データに基づく印影画像を前記出力装置に出力する出力部と、を備えることとする。【選択図】  図１
2006201880.tif 000002
【特許請求の範囲】
【請求項１】
印影画像を表示する画像データを管理するシステムであって、
ＣＰＵと、メモリと、出力装置と、
印影画像を特定する印影特定情報と、前記印影画像を表示するための第１のデータ形式の画像データと、前記第１のデータ形式を特定するための前記画像データの属性値とを対応付けて記憶する記憶部と、
出力対象の前記印影画像を特定する前記印影特定情報の入力を受け付ける入力部と、
受け付けた前記印影特定情報に対応する第１の前記画像データおよび前記属性値を前記記憶部から読み出す画像データ取得部と、
読み出した前記属性値に応じて、前記第１の画像データを所定の第２のデータ形式の第２の画像データに変換する変換部と、
前記第２の画像データに基づく印影画像を前記出力装置に出力する出力部と、
を備えることを特徴とする印影画像管理システム。
【請求項２】
請求項１に記載の印影画像管理システムであって、
前記属性値は、前記画像データの圧縮形式、縦サイズ、横サイズ、解像度の少なくとも何れかを示す値であること、
を特徴とする印影画像管理システム。
【請求項３】
請求項１に記載の印影画像管理システムであって、
前記第２の画像データを前記印影特定情報に対応付けて記憶する出力画像記憶部と、
前記印影画像特定情報に対応する前記第２の画像データが前記出力画像記憶部に記憶されているかどうかを判断する判断部と、を備え、
前記出力部は、
前記第２の画像データが前記出力画像記憶部に記憶されている場合、前記出力画像記憶部に記憶されている前記第２の画像データに基づく印影画像を前記出力装置に出力し、
前記第２の画像データが前記出力画像記憶部に記憶されていない場合、前記画像変換部により変換された前記第２の画像データに基づく印影画像を前記出力装置に出力すること、
を特徴とする印影画像管理システム。
【請求項４】
請求項１に記載の印影画像管理システムであって、
前記属性値の規定値を一つ以上記憶する規定値記憶部を備え、
前記画像変換部は、前記入力部が受け付けた第１の前記印影特定情報に対応する前記属性値が前記記憶部に記憶されていない場合に、前記規定値記憶部から前記規定値を読み出し、前記規定値に応じて前記第１の画像データを前記第２の画像データに変換し、
前記画像変換部が生成した前記第２の画像データに基づく印影画像の一覧を前記出力装置に出力する一覧出力部と、
一覧出力された印影画像の基礎となる前記第２の画像データを特定する画像特定情報の入力を受け付ける画像特定情報入力部と、を備え、
前記出力部は、前記画像特定情報により特定される前記第２の画像データに基づく印影画像を前記出力装置に出力すること、
を特徴とする印影画像管理システム。
【請求項５】
印影画像を表示する画像データを管理する方法であって、
ＣＰＵと、メモリと、出力装置とを備えるコンピュータが、
印影画像を特定する印影特定情報と、前記印影画像を表示するための第１のデータ形式の画像データと、前記第１のデータ形式を特定するための前記画像データの属性値とを対応付けて前記メモリに記憶し、
出力対象の前記印影画像を特定する前記印影特定情報の入力を受け付け、
受け付けた前記印影特定情報に対応する第１の前記画像データおよび前記属性値を前記メモリから読み出し、
読み出した前記属性値に応じて、前記第１の画像データを所定の第２のデータ形式の第２の画像データに変換し、
前記第２の画像データに基づく印影画像を前記出力装置に出力すること、
を特徴とする印影画像管理方法。
【請求項６】
ＣＰＵと、メモリと、出力装置とを備えるコンピュータに、
印影画像を特定する印影特定情報と、前記印影画像を表示するための第１のデータ形式の画像データと、前記第１のデータ形式を特定するための前記画像データの属性値とを対応付けて前記メモリに記憶するステップと、
出力対象の前記印影画像を特定する前記印影特定情報の入力を受け付け、
受け付けた前記印影特定情報に対応する第１の前記画像データおよび前記属性値を前記メモリから読み出すステップと、
読み出した前記属性値に応じて、前記第１の画像データを所定の第２のデータ形式の第２の画像データに変換するステップと、
前記第２の画像データに基づく印影画像を前記出力装置に出力するステップと、
を実行させるためのプログラム
【発明の詳細な説明】
【技術分野】
【０００１】
本発明は、印影画像管理システム、印影画像管理方法、およびプログラムに関する。
【背景技術】
【０００２】
自治体の印鑑証明などのサービスに用いられるシステムでは、印影をデータ化した印影データを管理し、必要に応じて印影データを印刷するようになっている。そのようなシステムに用いられる印影データのデータ形式は自治体やシステムによって様々である。したがって、自治体の合併などにより複数のシステムで管理されていた印影データを統合する場合には、多様なデータ形式の印影データをどのように扱うのかが問題となる。例えば、特許文献１では、システムの移行時に、移行先システムにおいて印影データを変換するシステムが開示されている。また、特許文献２には、印影画像の比率を変換するシステムが提案されている。
【特許文献１】特開平５−２７４４０４号公報
【特許文献２】特開２００２−１１７２４０号公報
【発明の開示】
【発明が解決しようとする課題】
【０００３】
しかしながら、上記特許文献に記載のシステムでは、所定の統一されたデータ形式で印影データを記憶することが前提となっている。したがって、複数のシステムから異なるデータ形式の印影データを大量に移行する場合には、統一のデータ形式に変換する必要があり、大量の住民の印影データを変換するには多大な労力と時間がかかってしまう。
【０００４】
本発明は、このような背景を鑑みてなされたものであり、異なるデータ形式の印影データをまとめて管理することのできる、印影画像管理システム、印影画像管理方法、およびプログラムを提供することを目的とする。
【課題を解決するための手段】
【０００５】
上記課題を解決するための本発明のうち請求項１に記載の発明は、印影画像を表示する画像データを管理するシステムであって、ＣＰＵと、メモリと、出力装置と、印影画像を特定する印影特定情報と、前記印影画像を表示するための第１のデータ形式の画像データと、前記第１のデータ形式を特定するための前記画像データの属性値とを対応付けて記憶する記憶部と、出力対象の前記印影画像を特定する前記印影特定情報の入力を受け付ける入力部と、受け付けた前記印影特定情報に対応する第１の前記画像データおよび前記属性値を前記記憶部から読み出す画像データ取得部と、読み出した前記属性値に応じて、前記第１の画像データを所定の第２のデータ形式の第２の画像データに変換する変換部と、前記第２の画像データに基づく印影画像を前記出力装置に出力する出力部と、を備えることとする。
【０００６】
また、請求項２に記載の発明は、請求項１に記載の印影画像管理システムであって、前記属性値は、前記画像データの圧縮形式、縦サイズ、横サイズ、解像度の少なくとも何れかを示す値であることとする。
【０００７】
また、請求項３に記載の発明は、請求項１に記載の印影画像管理システムであって、前記第２の画像データを前記印影特定情報に対応付けて記憶する出力画像記憶部と、前記印影画像特定情報に対応する前記第２の画像データが前記出力画像記憶部に記憶されているかどうかを判断する判断部と、を備え、前記出力部は、前記第２の画像データが前記出力画像記憶部に記憶されている場合、前記出力画像記憶部に記憶されている前記第２の画像データに基づく印影画像を前記出力装置に出力し、前記第２の画像データが前記出力画像記憶部に記憶されていない場合、前記画像変換部により変換された前記第２の画像データに基づく印影画像を前記出力装置に出力することとする。
【０００８】
また、請求項４に記載の発明は、請求項１に記載の印影画像管理システムであって、前記属性値の規定値を一つ以上記憶する規定値記憶部を備え、前記画像変換部は、前記入力部が受け付けた第１の前記印影特定情報に対応する前記属性値が前記記憶部に記憶されていない場合に、前記規定値記憶部から前記規定値を読み出し、前記規定値に応じて前記第１の画像データを前記第２の画像データに変換し、前記画像変換部が生成した前記第２の画像データに基づく印影画像の一覧を前記出力装置に出力する一覧出力部と、一覧出力された印影画像の基礎となる前記第２の画像データを特定する画像特定情報の入力を受け付ける画像特定情報入力部と、を備え、前記出力部は、前記画像特定情報により特定される前記第２の画像データに基づく印影画像を前記出力装置に出力することとする。
【０００９】
また、請求項５に記載の発明は、印影画像を表示する画像データを管理する方法であって、ＣＰＵと、メモリと、出力装置とを備えるコンピュータが、印影画像を特定する印影特定情報と、前記印影画像を表示するための第１のデータ形式の画像データと、前記第１のデータ形式を特定するための前記画像データの属性値とを対応付けて前記メモリに記憶し、出力対象の前記印影画像を特定する前記印影特定情報の入力を受け付け、受け付けた前記印影特定情報に対応する第１の前記画像データおよび前記属性値を前記メモリから読み出し、読み出した前記属性値に応じて、前記第１の画像データを所定の第２のデータ形式の第２の画像データに変換し、前記第２の画像データに基づく印影画像を前記出力装置に出力することとする。
【００１０】
また、請求項６に記載の発明は、プログラムであって、ＣＰＵと、メモリと、出力装置とを備えるコンピュータに、印影画像を特定する印影特定情報と、前記印影画像を表示するための第１のデータ形式の画像データと、前記第１のデータ形式を特定するための前記画像データの属性値とを対応付けて前記メモリに記憶するステップと、出力対象の前記印影画像を特定する前記印影特定情報の入力を受け付け、受け付けた前記印影特定情報に対応する第１の前記画像データおよび前記属性値を前記メモリから読み出すステップと、読み出した前記属性値に応じて、前記第１の画像データを所定の第２のデータ形式の第２の画像データに変換するステップと、前記第２の画像データに基づく印影画像を前記出力装置に出力するステップと、を実行させることとする。
【発明の効果】
【００１１】
本発明によれば、異なるデータ形式の印影データをまとめて管理することができる。
【発明を実施するための最良の形態】
【００１２】
本発明の一実施形態である印影画像管理システムは、例えば地方自治体などにおける印鑑証明等のサービスに用いられる、印影を表示するための画像データ（以下、印影データという。）を管理するシステムである。また、本実施形態の印影画像管理システムでは、例えば自治体の合併やシステムの変更などにより、複数のシステムから印影データが移行されることを想定している。また、本実施形態では、移行元となったシステムとして印影システムＡと印影システムＢとの２つのシステムを想定し、それらのシステムで管理されていた印影データ（以下、移行データという。）をまとめて一つのデータベースに格納する。
【００１３】
＝＝＝システム構成＝＝＝
図１に本実施形態に係る印影画像管理システムの全体構成を示す。図１に示すように、印影画像管理システムは利用者端末１０と画像管理サーバ２０とを含んで構成される。利用者端末１０と画像管理サーバ２０とは、通信ネットワーク３０を介して互いに通信可能に接続されている。通信ネットワーク３０は、例えば、ＬＡＮ（Local Area Network）やインターネット、公衆電話回線網、無線通信網などである。
【００１４】
利用者端末１０は、例えば地方自治体の事務員などが使用するコンピュータである。利用者端末１０としては、例えば、パーソナルコンピュータやワークステーション、ＰＤＡ（Personal Digital Assistant）などを用いることができる。利用者端末１０は後述するようにプリンタを備えており、印鑑証明等に用いられる印影画像の印刷は利用者端末１０によって行われる。
【００１５】
画像管理サーバ２０は、印影データを記憶するデータベースを管理するコンピュータである。画像管理サーバ２０としては、例えば、パーソナルコンピュータやワークステーションなどを用いることができる。画像管理サーバ２０が管理するデータベースには、複数のシステムで管理されていた印影データがまとめて格納される。画像管理サーバ２０は、後述するように、印影画像の出力時に様々なデータ形式の印影データを出力のための所定のデータ形式（以下、出力データ形式という。）の印影データ（以下、出力データという。）に変換する。
【００１６】
＝＝＝利用者端末１０＝＝＝
図２に利用者端末１０のハードウェア構成を示す。利用者端末１０は、ＣＰＵ１０１、メモリ１０２、記憶装置１０３、記録媒体読取装置１０４、入力装置１０５、ディスプレイ１０６、プリンタ１０７、通信インタフェース１０８を備えている。
【００１７】
記憶装置１０３は、プログラムやデータを記憶する。記憶装置１０３としては、例えばハードディスクなどがある。記録媒体読取装置１０４は、記録媒体１０９に記録されているプログラムやデータなどを記憶装置１０３に読み出す。記録媒体１０９としては、例えば、ＣＤ−ＲＯＭやＤＶＤ−ＲＯＭ、メモリカード、磁気テープなどがある。記録媒体読取装置１０４は、記録媒体１０９に合わせて、例えばＣＤ−ＲＯＭドライブやＤＶＤ−ＲＯＭドライブ、メモリカードリーダ、磁気テープ装置などとすることができる。ＣＰＵ１０１は、記憶装置１０３に記憶されているプログラムをメモリ１０２に読み出して実行することにより各種の機能を実現する。
【００１８】
入力装置１０５は、利用者からの入力を受け付ける。入力装置１０５としては、例えば、キーボードやマウス、タッチパネル、ペンタブレット、ボタン、マイクなどがある。ディスプレイ１０６およびプリンタ１０７は、データを出力する出力装置である。通信インタフェース１０８は、通信ネットワーク３０に接続するためのインタフェースである。通信インタフェース１０８としては、例えば、電話回線網に接続するためのモデムや、イーサネット（登録商標）に接続するアダプタなどを用いることができる。
【００１９】
図３は、利用者端末１０の機能ブロック図である。図３に示すように、利用者端末１０は、住民ＩＤ入力部１１１、出力データ取得要求送信部１１２、出力データ受信部１１３、印影画像表示部１１４、印影画像印刷部１１５、出力データ確認要求受信部１１６、印影画像一覧表示部１１７、印影画像指定部１１８、出力データ登録要求送信部１１９を備えている。
【００２０】
住民ＩＤ入力部１１１（本発明の「入力部」に該当する。）は、例えば印鑑証明書等の、出力対象となる印影画像に対応する住民を特定する情報（以下、住民ＩＤという。）の入力を受け付ける。  
出力データ取得要求送信部１１２は、住民ＩＤに対応する印影画像を表示するための出力データを取得するためのコマンド（以下、出力データ取得要求という。）を画像管理サーバ２０に送信する。  
出力データ受信部１１３は、出力データ取得要求に応じて画像管理サーバ２０から送信される出力データを受信する。
【００２１】
印影画像表示部１１４は、出力データ受信部１１３が受信した出力データに基づく印影画像をディスプレイ１０６に表示する。  
印影画像印刷部１１５は、利用者端末１０の利用者からの指示に応じて、出力データ受信部１１３が受信した出力データに基づく印影画像をプリンタ１０７に出力する。  
なお、印影画像表示部１１４又は印影画像印刷部１１５が本発明の「出力部」に該当する。  
出力データ確認要求受信部１１６は、正しい出力形式の印影データを確認するように指示するコマンド（以下、出力データ確認要求という。）を画像管理サーバ２０から受信する。出力データ確認要求には、住民ＩＤと１つ以上の印影データとが付帯される。
【００２２】
印影画像一覧表示部１１７（本発明の「一覧出力部」に該当する。）は、出力データ確認要求に付帯されている印影データのそれぞれに基づく印影画像をディスプレイ１０６に一覧表示し、印影画像指定部１１８（本発明の「画像特定情報入力部」に該当する。）は、ディスプレイ１０６に一覧表示された印影画像の指定を受け付ける。  
出力データ登録要求送信部１１９は、指定された印影画像の基礎となった印影データを出力データとして登録するように指示するコマンド（以下、出力データ登録要求という。）を画像管理サーバ２０に送信する。出力データ登録要求には、上記住民ＩＤと印影データとが設定される。
【００２３】
なお、上記各機能部１１１〜１１９は、利用者端末１０のＣＰＵ１０１が記憶装置１０３に記憶されているプログラムをメモリ１０２に読み出して実行することにより実現される。
【００２４】
＝＝＝画像管理サーバ２０＝＝＝
図４は、画像管理サーバ２０のハードウェア構成を示す図である。画像管理サーバ２０は、ＣＰＵ２０１、メモリ２０２、記憶装置２０３、記録媒体読取装置２０４、通信インタフェース２０５を備えている。
【００２５】
記憶装置２０３は、プログラムやデータを記憶する。記憶装置２０３としては、例えばハードディスクなどがある。記録媒体読取装置２０４は、記録媒体２０６に記録されているプログラムやデータを記憶装置２０３に読み出す。記録媒体読取装置２０４としては、例えば、ＣＤ−ＲＯＭドライブやＤＶＤ−ＲＯＭドライブ、メモリカードリーダ、磁気テープ装置などがある。記録媒体２０６としては、例えば、ＣＤ−ＲＯＭやＤＶＤ−ＲＯＭ、メモリカード、磁気テープなどがある。本実施形態では、記録媒体２０６に、移行元となった印影システムＡで管理されていた印影データを含む移行データＡ２６１と、印影システムＢで管理されていた印影データを含む移行データＢ２６２とが記録されている。  
通信インタフェース２０５は、通信ネットワーク３０に接続するためのインタフェースである。通信インタフェース２０５は、例えば、電話回線に接続するためのモデムやイーサネット（登録商標）のアダプタなどである。
【００２６】
図５は、画像管理サーバ２０の機能ブロック図である。画像管理サーバ２０は、移行データ入力部２１１、移行データ登録部２１２、出力データ取得要求受信部２１３、判断部２１４、出力データ送信部２１５、印影画像情報取得部２１６、画像変換部２１７、印影画像確認要求送信部２１８、出力データ登録要求受信部２１９、印影画像情報記憶部２５１、出力データ記憶部２５２、規定値記憶部２５３を備えている。
【００２７】
印影画像情報記憶部２５１（本発明の「記憶部」に該当する。）は、印影データや、データの圧縮形式、画像サイズ、解像度などの属性を含む印影画像情報を記憶する。図６に印影画像情報記憶部２５１の構成を示す。図６に示すように、印影画像情報記憶部２５１に記憶されている印影画像情報は、住民ＩＤ、移行前区分、圧縮方式、縦横の画像サイズ、解像度、印影データを含んでいる。移行前区分は、移行元となったシステムを特定する情報である。本実施形態では、移行データＡ２６１に基づいて作成された印影画像情報には、移行前区分として「Ａ」が含まれ、移行データＢ２６２に基づいて作成された印影画像情報には、移行前区分として「Ｂ」が含まれる。
【００２８】
移行データ入力部２１１は、移行元となったシステムで管理されていた印影データや属性などを含む移行データの入力を受け付け、移行データ登録部２１２は、移行データ入力部２１１が受け付けた移行データに基づいて印影画像情報を作成し、作成した印影画像情報を印影画像情報記憶部２５１に登録する。
【００２９】
本実施形態では、移行データ入力部２１１は、記録媒体２０６に記録されている移行データＡ２６１および移行データＢ２６２を、記録媒体読取装置２０４を介して読み出すものとする。なお、移行データ入力部２１１は、例えば、スキャナ等の入力装置からデータの入力を受け付けるようにしてもよいし、ＣＤ−ＲＯＭや可搬型のハードディスク等の記録媒体に記録されているデータを受け付けるようにしてもよい。また、通信ネットワーク３０を介して、他のコンピュータに記憶されているデータを取得するようにしてもよい。
【００３０】
図７および図８に、移行データ入力部２１１が受け付ける移行データの一例を示す。図７は、移行データＡ２６１の構成を示す図であり、図８は、移行データＢ２６２の構成を示す図である。図７に示すように、移行データＡ２６１は、住民ＩＤ、画像の圧縮形式、画像の縦横それぞれのサイズ、画像の解像度、および印影データを含んでおり、印影画像情報と移行前区分を除き同様の構成となっている。これに対し、移行データＢ２６２は、図８に示すように、住民ＩＤに対応付けて印影データが格納されているファイルが含まれているが、上記の各属性は含まれていない。移行データ登録部２１２は、入力された移行データに属性が含まれていない場合には、印影画像情報に含まれる属性の属性値として「−」を設定するものとする。
【００３１】
出力データ記憶部２５２（本発明の「出力画像記憶部」に該当する。）は、出力データを記憶する。図９に出力データ記憶部２５２の構成を示す。図９に示すように、出力データ記憶部２５２は、住民ＩＤに対応付けて出力データを記憶する。
【００３２】
規定値記憶部２５３は、属性値が設定されていない印影データを変換する際に、その属性値として用いられる規定値を記憶する。なお、印影データの変換処理の詳細については後述する。図１０に規定値記憶部２５３の構成を示す。図１０に示すように、規定値情報記憶部２５３は、属性名に対応付けて規定値が記憶されている。なお、属性名に対応する規定値は複数あってもよい。図１０の例においても、「圧縮形式」の規定値としては「ＭＨ」および「ＭＲ」があり、画像の縦のサイズとしては「１００」「２００」および「３００」がある。
【００３３】
出力データ取得要求受信部２１３は、利用者端末１０から送信される出力データ取得要求を受信する。  
判断部２１４は、出力データ取得要求に設定されている住民ＩＤに対応する出力データが出力データ記憶部２５２に登録されているかどうかを判断する。  
出力データ送信部２１５は、出力データ取得要求に設定されている住民ＩＤに対応する出力データが出力データ記憶部２５２に登録されている場合に、その出力データを利用者端末１０に送信する。
【００３４】
印影画像情報取得部２１６（本発明の「画像データ取得部」に該当する。）は、上記住民ＩＤに対応する出力データが出力データ記憶部２５２に登録されていない場合に、上記の住民ＩＤに対応する印影画像情報を印影画像情報記憶部２５１から読み出す。
【００３５】
画像変換部２１７（本発明の「変換部」に該当する。）は、印影画像情報取得部２１６が読み出した印影画像情報に含まれている各属性の属性値に応じて、印影画像情報に含まれている印影データを出力データに変換する。画像変換部２１７は、出力データ形式になるように、圧縮データの伸長処理や、印影データの拡大縮小処理などの変換処理を行う。
【００３６】
また、画像変換部２１７は、印影画像情報に含まれる属性の属性値が「−」である場合には、その属性の属性名に対応する規定値を規定値記憶部２５３から読み出し、属性値に代えて、読み出した規定値に応じた変換処理を行う。なお、上記属性の属性名に対応する規定値が複数登録されている場合には、複数の出力データが生成される。
【００３７】
出力データ確認要求送信部２１８は、出力データ取得要求に設定されている住民ＩＤと、画像変換部２１７により変換処理された印影データとを付帯させた出力データ確認要求を利用者端末１０に送信する。  
出力データ登録要求受信部２１９は、出力データ確認要求に応じて利用者端末１０から送信される出力データ登録要求を受信する。出力データ登録要求受信部２１９は、受信した出力データ登録要求に設定されている住民ＩＤと印影データを対応付けて出力データ記憶部２５２に登録する。
【００３８】
なお、上記各機能部２１１〜２１９は、画像管理サーバ２０のＣＰＵ２０１が記憶装置２０３に記憶されているプログラムをメモリ２０２に読み出して実行することにより実現される。また、上記各記憶部２５１〜２５３は、メモリ２０２や記憶装置２０３により提供される記憶領域として実現される。なお、各記憶部２５１〜２５３は、画像管理サーバ２０とは別体の、例えばデータベースサーバなどのコンピュータ上に実現するようにしてもよい。
【００３９】
＝＝＝印影画像の出力処理＝＝＝
本実施形態の印影画像管理システムでは、印鑑証明等のために印影画像の出力が必要な住民の住民ＩＤの入力に応じて印影画像が表示され、印刷の指示に応じてその印影画像が印刷される。図１１に本実施形態の印影画像管理システムにおける印影画像の出力処理の流れを示す。
【００４０】
利用者端末１０は、住民ＩＤの入力を受け付け（Ｓ３０１）、受け付けた住民ＩＤを設定した出力データ取得要求を画像管理サーバ２０に送信する（Ｓ３０２）。  
画像管理サーバ２０は、出力データ取得要求を受信し、受信した出力データ取得要求に設定されている住民ＩＤに対応する出力データが出力データ記憶部２５２に登録されているかどうかを確認する（Ｓ３０３）。出力データが登録されていない場合（Ｓ３０３：ＮＯ）には、画像管理サーバ２０は、出力データの登録処理を行う（Ｓ３０４）。
【００４１】
図１２に出力データの登録処理の流れを示す。図１２に示すように、まず画像管理サーバ２０は、印影画像情報記憶部２５１から、住民ＩＤに対応する印影画像情報を読み出す（図１２；Ｓ３２１）。なお、住民ＩＤに対応する印影画像情報が印影画像情報記憶部２５１に記憶されていない場合には、エラーメッセージを利用者端末１０に送信するようにしてもよい。
【００４２】
画像管理サーバ２０は、読み出した印影画像情報に含まれている各属性の属性値として「−」が設定されている場合には（Ｓ３２２：ＹＥＳ）、その属性の属性名に対応する規定値を規定値記憶部２５３から読み出して、上記印影画像情報の属性値として設定する（Ｓ３２３）。画像管理サーバ２０は、印影画像情報の属性値に応じて、印影画像情報に含まれている印影データを出力データ形式の印影データに変換する（Ｓ３２４）。画像管理サーバ２０は、変換した印影データと出力データ取得要求に設定されていた住民ＩＤとを付帯させた出力データ確認要求を利用者端末１０に送信する（Ｓ３２５）。なお、規定値が複数ある場合には、複数の印影データが出力データ確認要求に付帯される。
【００４３】
利用者端末１０は、画像管理サーバ２０から送信される出力データ確認要求を受信し、受信した出力データ確認要求に付帯されている印影データのそれぞれに基づく印影画像を一覧表示する（Ｓ３２６）。利用者端末１０は、一覧表示した印影画像の指定を受け付け（Ｓ３２７）、指定された印影画像の基礎となる印影データと、出力データ確認要求付帯されていた住民ＩＤとを設定した出力データ登録要求を画像管理サーバ２０に送信する（Ｓ３２８）。  
画像管理サーバ２０は、利用者端末１０から送信される出力データ登録要求を受信し、受信した出力データ登録要求に設定されている住民ＩＤと印影データとを対応付けて、出力データ記憶部２５２に登録する（Ｓ３２９）。  
上記のようにして、出力データが登録されていない場合には、印影画像情報に基づいて出力データが登録される。
【００４４】
画像管理サーバ２０は、出力データ取得要求に設定されていた住民ＩＤに対応する出力データを出力データ記憶部２５２から読み出し、読み出した出力データを利用者端末１０に送信する（図１１；Ｓ３０５）。  
利用者端末１０は、画像管理サーバ２０から応答される出力データを受信し、受信した出力データに基づく印影画像をディスプレイ１０６に表示する（Ｓ３０６）。また、利用者端末１０は、印刷をする旨の指示を受け付けると、上記の印影データに基づいて印影画像をプリンタ１０７から出力する（Ｓ３０７）。  
上記のようにして、印影画像管理システムでは、利用者端末１０に入力された住民ＩＤに対応する印影画像がディスプレイ１０６およびプリンタ１０７に出力される。
【００４５】
本実施形態の印影画像管理システムによれば、印影画像の出力時に印影データの変換が行われるため、異なるデータ形式の印影データを同一のデータベースに格納しておくことができる。したがって、例えば、自治体の統合によるシステム統合や、システムの更新などにより、複数のデータ形式の印影データを一つのシステムに移行する場合に、印影データを変換することなく異なるデータ形式のままで同一のデータベースに格納することができる。よって、システムの移行にかかる手間や時間を大幅に軽減することができる。
【００４６】
また、本実施形態の印影画像管理システムによれば、属性値が設定されていないような印影データであっても、予め設定されている規定値に応じて変換処理が行われる。したがって、印影を再度登録するような手間は必要ないため、移行時間を大幅に短縮することができる。
【００４７】
また、規定値に応じて変換された印影データは、利用者端末１０において作業者によって確認された後に出力データとして登録される。これにより、自動的に行った変換処理が正しいものであったことが確認されるので、正しい出力形式の印影画像を確実に出力することができる。
【００４８】
なお、上記図１２の（Ｓ３２４）において、例えば、規定値の圧縮方式に応じた伸長処理を行った場合などに、正常に処理できないときには、正常な変換処理を行うことができたデータのみを出力データ確認要求に付帯するようにしてもよい。この場合、確認すべき印影画像の数を減らすことができる。
【００４９】
また、本実施形態では、自治体の事務員などが使用する利用者端末１０から印影画像の出力がなされるものとしたが、その他にも、例えば、証明書の自動発行機から印影画像が出力されるようにしてもよい。
【００５０】
また、自動発行機から印影画像が出力されるようにする場合には、上記図１１の処理においては、（Ｓ３０１）〜（Ｓ３０２）を自動発行機が行い、出力データ取得要求が自動発行機から画像管理サーバ２０に送信されるようにし、画像管理サーバ２０は、出力データ取得要求の受信に応じて、住民ＩＤに対応する出力データ記憶部２５２の出力データを自動発行機に応答するようにすることができる。この場合、出力データが出力データ記憶部２５２に記憶されていない場合には、画像管理サーバ２０は、規定値に応じた印影データの変換処理を行い、変換された印影データを利用者端末１０に送信する。利用者端末１０は、画像管理サーバ２０から印影データを受信すると、受信した印影データのそれぞれに基づいて印影画像の一覧をディスプレイ１０６に表示し、出力すべき印影画像の指定を受け付け、指定された印影画像を表示するための印影データを設定した出力データ登録要求を画像管理サーバ２０に送信する。画像管理サーバ２０は、出力データ記憶部２５２にその印影データを登録の上、自動発行機に送信する。上記のようにすることで、自動発行機で印影画像の出力を行う場合にも、規定値に応じて変換された印影画像のうち、正しい出力形式のものを利用者端末１０において確認することができる。
【００５１】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００５２】
【図１】本発明の一実施の形態による印影画像管理システムの全体構成を示す図である。
【図２】本発明の一実施の形態による利用者端末１０のハードウェア構成を示す図である。
【図３】本発明の一実施の形態による利用者端末１０の機能ブロック図である。
【図４】本発明の一実施の形態による画像管理サーバ２０のハードウェア構成を示す図である。
【図５】本発明の一実施の形態による画像管理サーバ２０の機能ブロック図である。
【図６】本発明の一実施の形態による印影画像情報記憶部２５１の構成を示す図である。
【図７】本発明の一実施の形態による移行データＡ２６１の構成を示す図である。
【図８】本発明の一実施の形態による移行データＢ２６２の構成を示す図である。
【図９】本発明の一実施の形態による出力データ記憶部２５２の構成を示す図である。
【図１０】本発明の一実施の形態による規定値記憶部２５３の構成を示す図である。
【図１１】本発明の一実施の形態による印影画像の出力処理の流れを示す図である。
【図１２】本発明の一実施の形態による出力データの登録処理の流れを示す図である。
【符号の説明】
【００５３】
１０    利用者端末
２０    サーバ                          ３０    通信ネットワーク
１０１  ＣＰＵ                          １０２  メモリ
１０３  記憶装置                        １０４  記録媒体読取装置
１０５  入力装置                        １０６  ディスプレイ
１０７  プリンタ                        １０８  通信インタフェース
１０９  記録媒体                        １１１  住民ＩＤ入力部
１１２  出力データ取得要求送信部        １１３  出力データ受信部
１１４  印影画像表示部                  １１５  印影画像印刷部
１１６  出力データ確認要求受信部        １１７  印影画像一覧表示部
１１８  印影画像指定部                  １１９  出力データ登録要求送信部
２０１  ＣＰＵ                          ２０２  メモリ
２０３  記憶装置                        ２０４  記録媒体読取装置
２０５  通信インタフェース              ２０６  記録媒体
２１１  移行データ入力部                ２１２  移行データ登録部
２１３  出力データ取得要求受信部        ２１４  判断部
２１５  出力データ送信部                ２１６  印影画像情報取得部
２１７  画像変換部                      ２１８  印影画像確認要求送信部
２１９  出力データ登録要求受信部        ２５１  印影画像情報記憶部
２５２  出力データ記憶部                ２５３  規定値記憶部
２６１  移行データＡ                    ２６２  移行データＢ
【図１】
2006201880.tif 000003
【図２】
2006201880.tif 000004
【図３】
2006201880.tif 000005
【図４】
2006201880.tif 000006
【図５】
2006201880.tif 000007
【図６】
2006201880.tif 000008
【図７】
2006201880.tif 000009
【図８】
2006201880.tif 000010
【図９】
2006201880.tif 000011
【図１０】
2006201880.tif 000012
【図１１】
2006201880.tif 000013
【図１２】
2006201880.tif 000014